(57)【要約】【課題】極めて容易に待受け画面を変更することができる折畳型携帯通信端末を提供することを目的とする。【解決手段】折畳状態からオープン状態への変化若しくは折畳状態からオープン状態への変化を検出する開閉検出手段９とを有する携帯通信端末において、開閉検出手段９が折畳状態からオープン状態への変化若しくは折畳状態からオープン状態への変化を検出した場合に、記憶部３に記憶されている複数の画像データのうち一つを制御部１０により任意に選択し、表示部４に表示するようにした。【選択図】　図１
2004007488.tif 000002
【特許請求の範囲】
【請求項１】
複数の画像データを記憶可能な記憶部と、折畳状態からオープン状態への変化若しくはオープン状態から折畳状態への変化を検出する開閉検出手段とを有する折畳型携帯通信端末において、前記開閉検出手段が折畳状態からオープン状態への変化若しくはオープン状態から折畳状態への変化を検出した場合に、前記記憶部に記憶されている複数の画像データのうち一つを任意に選択し、表示することを特徴とする折畳型携帯通信端末。
【請求項２】
前記開閉検出手段が折畳状態からオープン状態への変化若しくはオープン状態から折畳状態への変化を検出した場合においても、所定の一の画像データのみを選択し、表示することを入力部からの入力により設定可能としたことを特徴とする請求項１に記載の折畳型携帯通信端末。
【請求項３】
前記選択された画像データの表示は、待機時の画面としてのみ表示されることを特徴とする請求項１または請求項２のいずれか記載の折畳型携帯通信端末。
【請求項４】
複数の画像データを蓄積可能な第１の記憶部と、折畳状態からオープン状態への変化若しくはオープン状態から折畳状態への変化を検出する開閉検出手段と、前記画像データの一つを表示可能な表示部と、前記第１の記憶部に記憶した複数の画像データのうち利用者により選択された二以上の画像データの情報を記憶可能な第２の記憶部とを有する折畳型携帯通信端末であって、前記開閉検出手段が折畳状態からオープン状態への変化若しくはオープン状態から折畳状態への変化を検出した場合に、前記第２の記憶部に記憶した情報のうち選択された情報に対応する画像データを前記第１の記憶部から取り出して、前記表示部に表示する制御部を特徴とする折畳型携帯通信端末。
【請求項５】
前記第２の記憶部に記憶した情報の選択は、所定の順序で行われることを特徴とする請求項４に記載の折畳型携帯通信端末。
【請求項６】
前記第２の記憶部に記憶した情報の選択は、ランダムに行われることを特徴とする請求項４に記載の折畳型携帯通信端末。
【請求項７】
前記制御部は、前記第２の記憶部に記憶した情報が一の画像データの情報のみである場合には、常に当該情報を選択することを特徴とする請求項４乃至請求項６の何れか１記載の折畳型携帯通信端末。
【請求項８】
前記制御部は、前記第２の記憶部に情報が記憶されていない場合には、前記表示部に所定の表示を行うことを特徴とする請求項４乃至請求項７の何れか１記載の折畳型携帯通信端末。
【請求項９】
前記制御部は、着信状態においては、開閉検出手段が折畳状態からオープン状態への変化若しくはオープン状態から折畳状態への変化を検出した場合であっても、前記第２の記憶部に記憶した情報の選択は、前回の選択を維持することを特徴とする請求項４乃至請求項８の何れか１記載の折畳型携帯通信端末。
【請求項１０】
前記表示部への表示は、待機時の画面としてのみ行われることを特徴とする請求項４乃至請求項９の何れか１記載の折畳型携帯通信端末。
【請求項１１】
画像データを表示部に表示することができる折畳型携帯通信端末を制御する方法であって、折畳状態からオープン状態への変化若しくはオープン状態から折畳状態への変化を検出する開閉検出工程と、折畳状態からオープン状態への変化した場合に記憶部に記憶している複数の画像データから一の画像データを選択する選択工程と、待機時において選択された一の画像データを表示部に表示する表示工程とを備えることを特徴とする折畳型携帯通信端末の制御方法。
【請求項１２】
折畳状態からオープン状態への変化若しくはオープン状態から折畳状態への変化を検出した場合においても、所定の一の画像データのみを選択する選択工程と、前記選択工程を動作可能とする設定工程とを有することを特徴とする請求項１１に記載の折畳型携帯通信端末の制御方法。
【発明の詳細な説明】
【０００１】
【発明の属する技術分野】
本発明は、記憶部に蓄積した画像データを表示部に表示することができる折畳型携帯通信端末に関するものである。
【０００２】
【従来の技術】
近年、携帯電話装置などの折畳型携帯通信端末において、待機状態における待受け時の画面表示を利用者の設定により変更できるものが出てきている。例えば、特許文献１には、任意の文字データをメモリ回路に記憶し、待ち受け状態の表示機関に、該任意の文字データを表示するようにした選択呼出し受信装置が記載されている。また、特許文献２には、使用者により登録された表示内容を１又は複数記憶し、記憶された表示内容のうち選択された一の表示内容を待受け状態において表示するものが記載されている。このように待受け時の画面表示を利用者が自由に設定することができるようにし、利用者の端末であることを識別したり、利用者が自己の嗜好を満足させたりすることができるようにしたものが開発されている。
【０００３】
【特許文献１】
特公平７−１１４５１２号公報
【特許文献２】
特開平１０−４１８４７号公報
【０００４】
【発明が解決しようとする課題】
しかしながら上記従来の構成では、待受け時の画面表示を変更するためには、煩わしいボタン操作をしなければならないという課題があった。
【０００５】
本発明は、上記従来の課題に鑑み、極めて容易に待受画面を変更することができる折畳型携帯通信端末を提供することを目的とする。
【０００６】
【課題を解決するための手段】
本発明は上記従来の課題を解決するために、複数の画像データを記憶可能な記憶部と、折畳状態からオープン状態への変化若しくはオープン状態から折畳状態への変化を検出する開閉検出手段とを有する折畳型携帯通信端末において、開閉検出手段が折畳状態からオープン状態への変化を検出した場合に、記憶部に記憶されている複数の画像データのうち一つを任意に選択し、表示することしたので、極めて容易に待受画面を変更することができる折畳型携帯通信端末を提供することができるようになった。
【０００７】
【発明の実施の形態】
本発明の請求項１に記載の発明は、複数の画像データを記憶可能な記憶部と、折畳状態からオープン状態への変化若しくはオープン状態から折畳状態への変化を検出する開閉検出手段とを有する折畳型携帯通信端末において、開閉検出手段が折畳状態からオープン状態への変化若しくはオープン状態から折畳状態への変化を検出した場合に、記憶部に記憶されている複数の画像データのうち一つを任意に選択し、表示することを特徴とするものであり、利用者が電話やメール等の通信をするために折畳型携帯通信端末をオープンの状態にする毎に表示部に表示される画像を変更することができ、極めて容易に待受画面を変更することができるという作用を有する。
【０００８】
本発明の請求項２に記載の発明は、請求項１に記載の発明において、開閉検出手段が折畳状態からオープン状態への変化若しくはオープン状態から折畳状態への変化を検出した場合においても、所定の一の画像データのみを選択し、表示することを入力部からの入力により設定可能としたことを特徴とするものであり、折畳型携帯通信端末をオープンの状態にする毎に表示部に表示される画像を変更するのか、それとも変更させないのかを利用者により選択することができるという作用を有する。
【０００９】
本発明の請求項３に記載の発明は、請求項１もしくは請求項２に記載の発明において、選択された画像データの表示は、待機時の画面としてのみ表示されることを特徴とするものであり、機能設定時の設定画面表示や着信時の発呼者番号表示などの状態のように、情報を表示部に表示させる必要があるとき以外の待機状態、すなわち画面を使用していないときに画面を有効に利用することができるようにという作用を有する。
【００１０】
本発明の請求項４に記載の発明は、複数の画像データを蓄積可能な第１の記憶部と、折畳状態からオープン状態への変化若しくはオープン状態から折畳状態への変化を検出する開閉検出手段と、画像データの一つを表示可能な表示部と、第１の記憶部に記憶した複数の画像データのうち利用者により選択された二以上の画像データの情報を記憶可能な第２の記憶部とを有する折畳型携帯通信端末であって、開閉検出手段が折畳状態からオープン状態への変化若しくはオープン状態から折畳状態への変化を検出した場合に、第２の記憶部に記憶した情報のうち選択された情報に対応する画像データを第１の記憶部から取り出して、表示部に表示することを特徴とするものであり、利用者が電話やメール等の通信をするために折畳型携帯通信端末をオープンの状態にする毎に表示部に表示される画像を変更することができ、極めて容易に待受画面を変更することができるという作用を有する。
【００１１】
本発明の請求項５に記載の発明は、請求項４に記載の発明において、第２の記憶部に記憶した情報の選択は、所定の順序で行われることを特徴とするものであり、折畳型携帯通信端末をオープンの状態にする毎に表示部に表示される画像を、利用者が設定した順に表示することができ、利用者の嗜好をさらに満足させることができるという作用を有する。
【００１２】
本発明の請求項６に記載の発明は、請求項４もしくは請求項５に記載の発明において、第２の記憶部に記憶した情報の選択は、ランダムに行われることを特徴とするものであり、折畳型携帯通信端末をオープンの状態にする毎に表示部に表示される画像を、利用者が設定した順に関係なく表示することができ、利用者の嗜好をさらに満足させることができるという作用を有する。
【００１３】
本発明の請求項７に記載の発明は、請求項４から請求項６のいずれか１に記載の発明において、制御部は、第２の記憶部に記憶した情報が一の画像データの情報のみである場合には、常に当該情報を選択することを特徴とするものであり、折畳型携帯通信端末をオープンの状態にする毎に表示部に表示される画像が一枚であっても支障なく動作することができるという作用を有する。
【００１４】
本発明の請求項８に記載の発明は、請求項４から請求項７のいずれか１に記載の発明において、制御部は、第２の記憶部に情報が記憶されていない場合には、表示部に所定の表示を行うことを特徴とするものであり、折畳型携帯通信端末をオープンの状態にする毎に表示部に表示される画像が一枚もなくても支障なく動作することができるという作用を有する。
【００１５】
本発明の請求項９に記載の発明は、請求項４から請求項８のいずれか１に記載の発明において、制御部は、着信状態においては、開閉検出手段が折畳状態からオープン状態への変化若しくはオープン状態から折畳状態への変化を検出した場合であっても、第２の記憶部に記憶した情報の選択は、前回の選択を維持することを特徴とするものであり、待受け時のみ選択処理を行わせることにより、プログラム上複雑になることを回避し、容易かつ簡単に設計等が可能となるという作用を有する。
【００１６】
本発明の請求項１０に記載の発明は、請求項４から請求項９のいずれか１に記載の発明において、表示部への表示は、待機時の画面としてのみ行われることを特徴とするものであり、機能設定時の設定画面表示や着信時の発呼者番号表示などの状態のように、情報を表示部に表示させる必要があるとき以外の待機状態、すなわち画面を使用していないときに画面を有効に利用することができるという作用を有する。
【００１７】
本発明の請求項１１に記載の発明は、請求項４から請求項１０のいずれか１に記載の発明において、画像データを表示部に表示することができる折畳型携帯通信端末を制御する方法であって、折畳状態からオープン状態への変化若しくはオープン状態から折畳状態への変化を検出する開閉検出工程と、折畳状態からオープン状態への変化した場合に記憶部に記憶している複数の画像データから一の画像データを選択する選択工程と、待機時において選択された一の画像データを表示部に表示する表示工程とを備えることを特徴とするものであり、利用者が電話やメール等の通信をするために折畳型携帯通信端末をオープンの状態にする毎に表示部に表示される画像を変更することができ、極めて容易に待受画面を変更することができるという作用を有する。
【００１８】
本発明の請求項１２に記載の発明は、請求項４から請求項１１のいずれか１に記載の発明において、折畳状態からオープン状態への変化若しくはオープン状態から折畳状態への変化を検出した場合においても、所定の一の画像データのみを選択する選択工程と、選択工程を動作可能とする設定工程とを有することを特徴とするものであり、折畳型携帯通信端末をオープンの状態にする毎に表示部に表示される画像を変更するのか、それとも変更させないのかを利用者により選択することができるという作用を有する。
【００１９】
以下、本発明の実施の形態について、図面を参照しながら説明する。
【００２０】
（実施の形態１）
図１は本発明の一実施の形態を示す折畳型携帯通信端末の構成図である。
【００２１】
図１に於て、１は無線基地局（図示せず）との無線通信ためのアンテナ、２はアンテナ１を介して無線基地局と無線信号の送受信を行うための無線送受信部、３は、メールやカメラ（図示せず）から取得した画像データの蓄積や電話帳などの蓄積など利用者が必要に応じて使用したり、端末全体の動作プログラム等、各種情報を記憶した記憶部、３ａは、記憶部３と論理的に区分され、表示させたい画像データのファイル名をリストとして記憶する待受画面情報記憶部、４は待機時において前記記憶部から取り出された画像データを表示したり、着信時に発呼者情報（電話番号や発呼者名等）を表示したり、各種機能設定のための画面表示をしたりするために用いられる表示部、５は各種機能設定やダイヤル入力等に用いられる入力部、６は無線基地局（図示せず）を介して通話相手と音声通話を行うために用いられるコーディックＩＣ（ＰＣＭデジタル信号⇔アナログ信号の変換）などの音声回路部、７は利用者が設定した着信メロディなどの着信音や警告音等を出力するためのスピーカ、８は通話相手へ利用者の音声を伝えるため等に用いられるマイク、９は折畳型携帯通信端末を利用者等により折畳まれた場合（開⇒閉）や開かれた場合（閉⇒開）にその変化を検出する開閉検出手段、１０は折畳型携帯通信端末全体を制御する制御部である。
【００２２】
図２は本発明の一実施の形態を示す折畳型携帯通信端末の外観構成図である。
【００２３】
図２において、１１はアンテナ１や表示部４等を有する第１の筐体、１２は無線送受信部２、記憶部３、入力部５、音声回路部６等を有する第２の筐体、１３は第１の筐体１１と第２の筐体１２を各筐体の一端部で回動可能に接続するためのヒンジであり、このヒンジにより折畳型携帯通信端末をポケット等に収納できるように折畳んだり、折畳型携帯通信端末を使用して通話等ができるように第１の筐体１１と第２の筐体１２を開いた状態にすることができる。１４は第１の筐体１１に設けられた突起部、１５は第２の筐体１２に設けられたスイッチである。折畳まれた状態では、突起部１４はスイッチ１５を押下している状態となり、開いた状態では、突起部１４とスイッチ１５は物理的に離れた状態にあり、スイッチ１５は非押下の状態に有る。このスイッチの状態、すなわち押下状態なのか、非押下状態なのかを開閉検出手段９により検出する構成になっている。
【００２４】
図３は本発明の一実施の形態を示す折畳型携帯通信端末の待受画面設定モードにおける表示内容を示す図である。図３（ａ）は待受画面設定モードの画面表示内容を示す図、図３（ｂ）は自動待受画面変更の設定の画面表示内容を示す図、図３（ｃ）は自動待受画面変更の設定のために選択可能な画像データの内容を表示した画面を示す図、図３（ｄ）は待受画面のモードを設定するための画面を示す図である。
【００２５】
図４は本発明の一実施の形態を示す待受画面情報記憶部の内容を示す図である。
【００２６】
以上のように構成された折畳型携帯通信端末について、以下待受画面の設定動作について説明する。
【００２７】
まず、入力部５を操作することにより、表示部４に待受画面設定モードの画面を表示させる（図３（ａ））。この状態で、利用者は、選択した一の画像を待受画面として表示させる場合には、「１・固定−待受画面設定」を選択する。選択後、記憶部３に記憶している所定拡張子（ＢＭＰやＪＰＧ）の画像データの一覧が表示部４に表示される（図示せず）ため、利用者はその画像データのうち好みに合せた一の画像データを入力部５の操作により選択する。この選択により記憶部に記憶している画像データ（メールで受信したものやカメラで撮像したもの）を待受画面の表示として常に表示させることが可能になる。常に同じ画像データを表示するのではなく、複数の画像データを自動的に変更させながら表示させたい場合には、「２・自動変更−待受画面設定」を入力部５の操作により選択する。「２・自動変更」が選択されると、制御部１０は図３（ｂ）の画面を表示部４に表示させる。ここで、図３（ｂ）においては、１番、３番、４番、５番にそれぞれ画像データが対応して設定されていることを示している。この設定は、待受画面情報記憶部３ａに記憶されており、図４に示すように番号に対応してファイル名が記憶されている。すなわち、１番にはファイル名「日の出．ＢＭＰ」、３番には「夕焼け．ＢＭＰ」、４番には「雪山．ＢＭＰ」、５番には「星空．ＢＭＰ」が関連付けて記憶されており、またこのファイル名は、記憶部３に記憶されている画像データのファイル名を示している。なお、待受画面として現在表示するように設定されている番号のファイルには、図４のようにマークされており、また、２番や６番には画像データが設定されていない。
【００２８】
なお、待受画面情報記憶部３ａは、画像データが記憶されている記憶部３と論理的に区別される例で実施例を記載しているが、それぞれ記憶部３と待受画面情報記憶部３ａとを物理的に他の記憶手段にしても良い。
【００２９】
最初に「２・自動変更」を選択した場合には、１番〜６番の全てに画像データが登録されておらず、利用者が入力部５を操作することにより記憶部３に記憶されている画像データから選択して各番号に対応させて設定することになる。具体的には、図３（ｂ）の状態において、設定若しくは変更したい番号を入力部５の操作により選択すると、図３（ｃ）の画面（記憶部３に記憶されている全ての画像データの内容（サムネイル））が表示され、その中から所望の画像データを利用者が入力部５を操作して選択することにより行われる。
【００３０】
以上は、各種待受モードのときに、どのような画像データを表示するかを設定するものであり、利用者は、最終的にどの待受けモードを設定するかを選択する必要がある。具体的には、図３（ｄ）の待受画面選択のための画面を表示部４に表示させた状態で、待受画面としてカレンダーを表示させる場合には「１・カレンダー」を、予め折畳型携帯通信端末に初期値として設定されている固定イラストを表示させる場合には「２・固定イラスト」を、記憶部３に記憶した画像データ（例えば、利用者が受信したメールに添付された画像データ、無線通信網のセンタやサーバからダウンロードした画像データや、付属のカメラ（図示せず）により撮像した画像データ）から利用者が選択した一の画像データを表示させる場合には「３・画像Ｂｏｘデータ」を、記憶部３に記憶した画像データから利用者が選択した複数の画像データを表示させる場合には「４・自動変更」を入力部５の操作で選択することにより行う。
【００３１】
次に、このように待受画面を設定可能な折畳型携帯通信端末において、待受画面の表示動作について図５（本発明の一実施の形態を示す折畳型携帯通信端末の待受画面変更動作のフローチャート）及び図６（本発明の一実施の形態を示す折畳型携帯通信端末の待受画面の表示内容を示す図）とを用いて具体的に説明する。
【００３２】
まず、折畳型携帯通信端末を折畳んでいる状態において、着信を検出した場合（Ｓ１）には、通常の着信処理、すなわちスピーカ７から着信音を出力すると共に表示部４に発呼者の電話番号や氏名を表示する処理を行う（Ｓ２）。
【００３３】
着信検出をせず、開閉検出手段９において折畳型携帯通信端末が折畳み状態から開いた状態に変化したことを検出した場合（Ｓ３）には、待受画面の動作モードが「自動変更」に設定されているかどうかを制御部１０が判断する（Ｓ４）。待受画面の動作モードが「自動変更」に設定されていない場合には、設定されている動作モード（カレンダー、固定イラスト、画像Ｂｏｘのいずれか）に応じた表示内容を選択する（Ｓ５）。カレンダーモードに設定されている場合には、記憶部３からカレンダーの情報を取り出して、表示部４に表示し、固定イラストに設定されているときは、記憶部３から固定イラストの画像データを取り出して、表示部４に表示する。また、画像Ｂｏｘに設定されているときは、上述のように利用者が記憶部３に記憶した画像データのうち、利用者が選択した一の画像データを記憶部３から取り出して、表示部４に表示する。
【００３４】
一方、待受画面の動作モードが「自動変更」に設定されている場合には、更に待受画面情報記憶部３ａに画像情報が記憶されているかどうかを判断する（Ｓ６）。すなわち、図４で示したテーブルにファイル名が一つも記憶していないかどうかにより待受画面情報記憶部３ａに画像情報が記憶されているかどうかを判断することになる。
【００３５】
待受画面情報記憶部３ａに画像情報が記憶されていない場合、記憶部３から取り出す画像データがないとして、無模様の所定の一色を待ち受け画面として表示する（Ｓ７）。この所定の一色は、予め利用者の入力部５の操作により赤、青、緑、白等の複数色から一つを設定可能である。具体的には、図６（ａ）のように待受画面としては無模様一色となっており、その表示の上に無線基地局（図示せず）からの電波の状態を示す図形、現日時、キー操作の内容が表示される。このように、無模様の所定の一色を待ち受け画面がいわゆる背景画面として表示される。
【００３６】
待受画面情報記憶部３ａに画像情報が記憶されている場合、その画像情報が一つしか記憶されていないのか、二つ以上記憶されているのかを制御部１０が判断する（Ｓ８）。すなわち、図４で示したテーブルにファイル名が一つしか記憶されていないのか二つ以上記憶されているのかどうかによりこの判断を行う。
【００３７】
待受画面情報記憶部３ａに一つしか画像情報が記憶されていない場合、折畳む前に表示していた待受画面の画像データの情報（図４において現表示としてマークされているファイル名）を待受画面情報記憶部３ａから取り出す（Ｓ１０）。そして、取り出したファイル名の画像データを記憶部３から取り出して、表示部４に表示する。この場合、折畳む前に表示していた待受画面の画像データの情報はそのまま変更しない（Ｓ１１）。
【００３８】
一方、待受画面情報記憶部３ａに複数の画像情報が記憶されている場合、折畳む前に表示していた待受画面の画像データの番号（図４において、番号１〜６のうちの現表示のマークがされている番号）を待受画面情報記憶部３ａから取り出す。そして取り出した番号の次の番号に対応する画像データのファイル名を待受画面情報記憶部３ａから取り出し、その取り出したファイル名の画像データを記憶部３から取り出して、表示部４に表示する画像データを選択する（Ｓ９）。そして選択した画像データを表示部４に表示する（Ｓ１１）。たとえば、番号１の画像データが取り出された場合、図６（ｂ）のように待受画面としては「日の出。ＢＭＰ」の画像データが表示され、その表示の上に無線基地局（図示せず）からの電波の状態を示す図形、現日時、キー操作の内容が表示される。このように、「日の出。ＢＭＰ」の画像データがいわゆる背景画面として表示される。
【００３９】
以上のごとく、待受画面情報記憶部３ａに記憶され、かつファイル名に対応した番号に基き、待機状態において折畳型携帯通信端末を開くたびに、順次待受画面を待受画面情報記憶部３ａに記憶された複数のファイル名に対応した画像データの範囲内で変更することができる。また、利用者が待受モードを「自動変更」に設定しているときに、待受画面情報記憶部３ａに画像データが選択されていないか、若しくは一つしか選択されていない場合にでも何ら支障なく動作することができる。また、待受画面を待受画面情報記憶部３ａに記憶された複数のファイル名に対応した画像データの範囲内で順次変更するかわりに、ランダムに変更するようにすれば、利用者が設定した順に関係なく表示することができ、利用者の嗜好をさらに満足させることができる。
【００４０】
なお、折畳型携帯通信端末を折畳んだ状態で着信があった場合（Ｓ１，Ｓ２）には、通常の着信処理に入るため待受画面情報記憶部３ａの現表示のマークを移動させることはしないため、着信を捕捉した後通話終了により待受画面になった場合でも、折畳型携帯通信端末を折畳む前に表示していた待受画面と同じ画像データが表示されることになる。これは、着信を検出した後の着信処理動作においても、待受画面情報記憶部３ａの現表示のマークを移動させることすると、着信処理動作においてもＳ３以下の動作を行わせる必要があり、プログラム上複雑になることを回避するものであり、待受け時だけにＳ３以降の処理を行わせることにより、容易かつ簡単に本発明の動作をさせることができる。また一般に、着信時には着信画面に移行し、通話終了後は更に折畳型携帯通信端末を操作することはそれほど多くないと思われ、一方電話をかけたいときには必ず待受画面を見るであろうと考えられることから、このように着信状態で折畳型携帯通信端末を折畳み状態から開いた状態にする際にＳ３以降の処理を行わせる必要性は少ない。ただし、着信状態であっても、折畳型携帯通信端末を折畳み状態から開いた状態にしたときに、待ち受け画画を変更するようにしても何ら問題がないことはいうまでもない。
【００４１】
また、折畳型携帯通信端末においては、表示部のＯＮ／ＯＦＦを筐体の開閉の検出結果により行う等、すでに開閉の検出をする機構を備えているものが多く、従って、本発明では単にソフト的に追加変更によるだけで、容易に実施できる。
【００４２】
なお、上述の本発明の実施の形態においては、折畳状態からオープン状態への変化を検出することにより、待受画面を待受画面情報記憶部３ａに記憶された複数のファイル名に対応した画像データの範囲内で順次もしくはランダムに変更するようにしたが、オープン状態から折畳状態への変化を検出することにより、順次待受画面を待受画面情報記憶部３ａに記憶された複数のファイル名に対応した画像データの範囲内で順次若しくはランダムに変更するようにすることも当然に可能である。この場合には、オープン状態から折畳状態への変化を検出することにより表示部に表示する画像を選択するようにできるため、着信中にオープン状態にしても画像を変更することが可能となり、着信処理動作においてＳ３以下の動作を行わせることによるプログラム上の複雑さもなく、極めて有効である。さらに、待受画面の変更と共に着信音や着信報知ＬＥＤの色の変更等も合せて行えば、バリエーション豊かな利用者の嗜好をさらに満足させるような携帯端末通信装置を提供することができる。
【００４３】
また、上述の本発明の実施の形態においては、第１の筐体１１に表示部４が一つだけの折畳型携帯通信端末を示したが、第１の筐体１１の表、裏面にそれぞれ第１の表示部、第２の表示部があるような複数の表示部を有する折畳型携帯通信端末においても利用することができる。
【００４４】
この場合、オープン状態から折畳状態への変化を検出することにより第１の表示部に表示する画像を選択、折畳状態からオープン状態への変化を検出することにより第２の表示部に表示する画像を選択するようにしても良い。
【００４５】
また、第２の表示部用に第２の画面情報記憶部を有していても良い。
【００４６】
また、上述の本発明の実施の形態においては、本体が二つに分離した、第１と第２の筐体１２を有する折畳型携帯通信端末にて説明を行ったが、本発明は上述の形態のみならず、本体に対してフリップなどの回動可能なカバーを有し、このフリップ部にマイクを有したり、あるいはこのフリップで本体のキー部分をカバーするような形態の折畳型携帯通信端末に適用することも可能である。
【００４７】
また、上述の本発明の実施の形態においては、折畳型携帯通信端末の開閉動作による待受画面の変更について説明したが、伸縮可能なロッドアンテナの伸縮を検知することにより待受画面を変更するようにしてもよい。
【００４８】
また、本発明は、撮像素子を内蔵した折畳型携帯通信端末への適用も可能であり、撮像素子により撮影した画像を、上述したような方法により、折畳型携帯通信端末の開閉動作に伴い自動的に切り換え表示させることも可能である。
【００４９】
【発明の効果】
本発明は、複数の画像データを記憶可能な記憶部と、折畳状態からオープン状態への変化若しくはオープン状態から折畳状態への変化を検出する開閉検出手段とを有する折畳型携帯通信端末において、開閉検出手段が折畳状態からオープン状態への変化若しくはオープン状態から折畳状態への変化を検出した場合に、記憶部に記憶されている複数の画像データのうち一つを任意に選択し、表示するという構成にしたので、利用者が電話やメール等の通信をするために折畳型携帯通信端末をオープンの状態にする毎に表示部に表示される画像を変更することができ、極めて容易に待受画面を変更することができるという効果を有する。
【図面の簡単な説明】
【図１】本発明の一実施の形態を示す折畳型携帯通信端末の構成図
【図２】本発明の一実施の形態を示す折畳型携帯通信端末の外観構成図
【図３】本発明の一実施の形態を示す折畳型携帯通信端末の待受画面設定モードにおける表示内容を示す図
【図４】本発明の一実施の形態を示す待受画面情報記憶部の内容を示す図
【図５】本発明の一実施の形態を示す折畳型携帯通信端末の待受画面変更動作のフローチャート
【図６】本発明の一実施の形態を示す折畳型携帯通信端末の待受画面の表示内容を示す図
【符号の説明】
１　アンテナ
２　無線送受信部
３　記憶部
３ａ　待受画面情報記憶部
４　表示部
５　入力部
６　音声回路部
７　スピーカ
８　マイク
９　開閉検出手段
１０　制御部
１１　第１の筐体
１２　第２の筐体
１３　ヒンジ
１４　突起部
１５　スイッチ
【図１】
2004007488.tif 000003
【図２】
2004007488.tif 000004
【図３】
2004007488.tif 000005
【図４】
2004007488.tif 000006
【図５】
2004007488.tif 000007
【図６】
2004007488.tif 000008